(57)【要約】【課題】  各種機器の機能または設定値を変更するための遠隔操作を、滅菌域においても手軽に行うことが可能な医療用遠隔操作装置を提供すること。【解決手段】  医療用遠隔操作装置本体と、上記医療用遠隔操作装置本体に対して脱着可能な操作プレートとを備え、上記操作プレートが、内視鏡システムに対する操作コマンドに対応する操作コマンドパターンが表示された操作面を有するとともに、滅菌可能な部材で構成され、上記医療用遠隔操作装置本体が、上記操作プレートが取り付けられた状態において、上記操作面上の操作コマンドパターンに対応する操作コマンドを検知する検知手段と、上記検知手段によって検知された操作コマンドを、上記内視鏡システムに対して出力する出力手段とを備える。【選択図】      図３
2005304596.tif 000002
【特許請求の範囲】
【請求項１】
１つまたは複数の医療用電子機器からなる内視鏡システムを遠隔操作するための医療用遠隔操作装置であって、
医療用遠隔操作装置本体と、
前記医療用遠隔操作装置本体に対して脱着可能な操作プレートと、
を備え、
前記操作プレートは、
前記内視鏡システムに対する操作コマンドに対応する操作コマンドパターンが表示された操作面を有し、
滅菌可能な部材で構成され、
前記医療用遠隔操作装置本体は、
前記操作プレートが取り付けられた状態において、前記操作面上の操作コマンドパターンに対応する操作コマンドを検知する検知手段と、
前記検知手段によって検知された操作コマンドを、前記内視鏡システムに対して出力する出力手段と、
を備える、
ことを特徴とする医療用遠隔操作装置。
【請求項２】
１つまたは複数の医療用電子機器からなる内視鏡システムを遠隔操作するための医療用遠隔操作装置であって、
医療用遠隔操作装置本体と、
滅菌可能な部材で構成され、前記医療用遠隔操作装置本体に対して脱着可能な操作プレートと、
を備え、
前記医療用遠隔操作装置本体は、
前記内視鏡システムに対する操作コマンドに対応する操作コマンドパターンを投影する操作コマンド投影手段と、
前記操作プレートの操作面上に、前記操作コマンド投影手段から投影される操作コマンドパターンを投影可能に前記操作コマンド投影手段を支持する支持手段と、
前記操作プレートが取り付けられた状態において、前記操作面上の操作コマンドパターンに対応する操作コマンドを検知する検知手段と、
前記検知手段によって検知された操作コマンドを、前記内視鏡システムに対して出力する出力手段と、
を備える、
ことを特徴とする医療用遠隔操作装置。
【請求項３】
前記検知手段は、前記操作面上に翳された物体の３次元位置情報を検出することにより、前記３次元位置情報の近傍に表示された操作コマンドパターンに対応する操作コマンドを検知することを特徴とする請求項１または２に記載の医療用遠隔操作装置。
【請求項４】
前記操作プレートは、操作プレート識別部を有し、
前記医療用遠隔操作装置本体は、前記操作プレート識別部を検出することにより、前記操作プレートの脱着を認識することを特徴とする請求項１乃至３の何れか１項に記載の医療用遠隔操作装置。
【請求項５】
前記医療用遠隔操作装置本体は、前記操作プレート識別部を検出することにより、互いに異なる操作コマンドを有する複数の操作プレートの相違を識別することを特徴とする請求項４に記載の医療用遠隔操作装置。
【発明の詳細な説明】
【技術分野】
【０００１】
本発明は、内視鏡装置、およびその他の医療用装置、医療器具等を備える内視鏡システムを遠隔操作するための医療用遠隔操作装置に関し、特に各種機器の機能または設定値を変更するための遠隔操作を、滅菌域においても手軽に行うことが可能な医療用遠隔操作装置に関する。
【背景技術】
【０００２】
従来、医療用内視鏡システムは、内視鏡装置をはじめ様々な医療用装置や医療器具を備えている。一般的な内視鏡システムでは、観察を行うための内視鏡、内視鏡に接続されるカメラヘッド、カメラヘッドで撮像した画像信号を処理する内視鏡用カメラ装置、被写体へ照明光を供給する光源装置、被写体画像を表示するモニタなどを備えており、被検部位へ内視鏡を挿入し、光源装置からの照明光を被写体へ照射して内視鏡装置で被写体の光学像を得て、カメラヘッドで撮像した被写体像の画像信号を内視鏡用カメラ装置で信号処理してモニタに被写体画像を映し出すようになっている。このような内視鏡システムにより、体腔内等の観察、検査が行われる。
【０００３】
近年では内視鏡装置を用いた外科手術なども行われており、この内視鏡下外科手術では、前述の装置に加えて、腹腔内を膨張させるために用いる気腹装置、手技を行うための処置装置である生体組織を切除する高周波焼灼装置などを手術機器として用いて、内視鏡装置で被処置部位を観察しながら各種処置がなされている。
【０００４】
また、これら複数の各種装置を備えた内視鏡システムにおいて、複数の装置を容易に操作、制御することができ、内視鏡システムの操作力性を向上させるため、術者が滅菌域で各種装置の設定状態を確認するための表示手段として液晶パネルなどの表示パネルや、術者が滅菌域で操作し各種装置の機能または設定値を変更するための遠隔操作手段としてリモコン（リモートコントローラ）などの医療用遠隔操作装置、さらには術者の指示に従ってナース等の補助者が非滅菌域で操作し各種装置の機能または設定値を変更するための各機器の操作スイッチをタッチパネルに設けた集中操作パネル、各種装置を音声で操作するためのマイク等を備えている。
【０００５】
このような内視鏡システムにおいては、術者が滅菌域で操作する装置および器具等に対して、手術後に洗浄処理やオートクレーブに代表される滅菌処理を施している。各種装置の機能または設定値を変更するための医療用遠隔操作装置に対しても滅菌処理を施す必要がある。
【０００６】
ところが、医療用遠隔操作装置は、言うまでもなくコネクタ、配線等を含む電子機器を使用しており、このような医療用遠隔操作装置に滅菌処理を施すことが出来るようにするために、電子機器として採用できる素材、部品を限定して用いていた（例えば、特許文献１参照。）。
【０００７】
通常の医療用遠隔操作装置は、耐水性および耐熱性に優れているとは言えず、洗浄処理やオートクレーブ等の滅菌処理を施すことが困難である。このように滅菌耐性を確保できない場合には、ドレープに代表される滅菌カバーを医療用遠隔操作装置に取り付けることにより、医療用遠隔操作装置自体を滅菌処理しなくとも済むようにしている。例えば、従来の滅菌域用リモコンは、単なる箱状のケースからコントローラ等に電気的に接続するためのケーブルが引き出されている構成をとっており、その箱を滅菌あるいは滅菌ドレープをかぶせて使用していた（例えば、特許文献２参照。）。
【０００８】
また、滅菌処理を施すことが出来るよう耐滅菌性を高めるためには、医療用遠隔操作装置に対してシリコンに代表される充填材を封入して耐水性を確保していた（例えば、特許文献３参照。）。
【特許文献１】特開２０００−２８７９１４号公報
【特許文献２】特開平７−３０３６５３号公報
【特許文献３】特開平９−１６８５０３号公報
【発明の開示】
【発明が解決しようとする課題】
【０００９】
しかしながら、コネクタや配線に代表される電子機器である医療用遠隔操作装置は、採用できる素材や部品が限定され、設計裕度の低下と製品原価低減の隘路となっているという問題点があった。
また、医療用遠隔操作装置へのドレープの取り付けは、術者にとっては非常に操作性が悪く、医療機関の経営者にとってはコストアップの要因になるという問題点があった。
【００１０】
また、充填材の封入は、コストアップの要因になるだけでなく、耐熱性に優れた医療用遠隔操作装置を提供することが困難であるという問題点があった。
本発明は、上記事情に鑑みてなされたもので、各種機器の機能または設定値を変更するための遠隔操作を、滅菌域においても手軽に行うことが可能な医療用遠隔操作装置を提供することを目的としている。
【課題を解決するための手段】
【００１１】
本発明は、上記課題を解決するため、下記のような構成を採用した。
すなわち、本発明の一態様によれば、本発明の医療用遠隔操作装置は、１つまたは複数の医療用電子機器からなる内視鏡システムを遠隔操作するための医療用遠隔操作装置であって、医療用遠隔操作装置本体と、上記医療用遠隔操作装置本体に対して脱着可能な操作プレートとを備え、上記操作プレートが、上記内視鏡システムに対する操作コマンドに対応する操作コマンドパターンが表示された操作面を有するとともに、滅菌可能な部材で構成され、上記医療用遠隔操作装置本体が、上記操作プレートが取り付けられた状態において、上記操作面上の操作コマンドパターンに対応する操作コマンドを検知する検知手段と、上記検知手段によって検知された操作コマンドを、上記内視鏡システムに対して出力する出力手段とを備えることを特徴とする。
【００１２】
また、本発明の一態様によれば、本発明の医療用遠隔操作装置は、１つまたは複数の医療用電子機器からなる内視鏡システムを遠隔操作するための医療用遠隔操作装置であって、医療用遠隔操作装置本体と、滅菌可能な部材で構成され、上記医療用遠隔操作装置本体に対して脱着可能な操作プレートとを備え、上記医療用遠隔操作装置本体が、上記内視鏡システムに対する操作コマンドに対応する操作コマンドパターンを投影する操作コマンド投影手段と、上記操作プレートの操作面上に、上記操作コマンド投影手段から投影される操作コマンドパターンを投影可能に上記操作コマンド投影手段を支持する支持手段と、上記操作プレートが取り付けられた状態において、上記操作面上の操作コマンドパターンに対応する操作コマンドを検知する検知手段と、上記検知手段によって検知された操作コマンドを、上記内視鏡システムに対して出力する出力手段とを備えることを特徴とする。
【００１３】
また、本発明の医療用遠隔操作装置は、上記検知手段が、上記操作面上に翳された物体の３次元位置情報を検出することにより、上記３次元位置情報の近傍に表示された操作コマンドパターンに対応する操作コマンドを検知することが望ましい。
また、本発明の医療用遠隔操作装置は、上記操作プレートが操作プレート識別部を有し、上記医療用遠隔操作装置本体が、上記操作プレート識別部を検出することにより上記操作プレートの脱着を認識することが望ましい。
【００１４】
また、本発明の医療用遠隔操作装置は、上記医療用遠隔操作装置本体が、上記操作プレート識別部を検出することにより互いに異なる操作コマンドを有する複数の操作プレートの相違を識別することが望ましい。
【発明の効果】
【００１５】
本発明によれば、各種内視鏡周辺機器の機能または設定値を変更するための遠隔操作を多数の指示ボタンにより行う医療用遠隔操作装置であっても、滅菌域において手軽に使用することができ、容易に滅菌処理することが可能となる。
【発明を実施するための最良の形態】
【００１６】
以下、図面を参照しながら本発明の実施の形態について述べる。
図１は、本発明にかかる医療用遠隔操作装置が遠隔操作する内視鏡システムの全体構成を示す図である。
図１において、内視鏡システム１は、第１の内視鏡手術システム２および第２の内視鏡手術システム４により構成されている。
【００１７】
第１の内視鏡手術システム２は、第１の内視鏡表示パネル２１、第１の集中表示パネル２２、看護婦などが遠隔的に操作する操作パネル２３、集中制御手段としてのシステムコントローラ２４、ＶＴＲ２５、第１の内視鏡カメラ装置２６、第１の光源装置２７、気腹装置２８、および電気メス装置（高周波焼灼装置）２９を備えており、第１の医療用カート３０の上に搭載されている。そして、それぞれの内視鏡周辺機器は、図示しないシリアルインターフェイスケーブルで上記システムコントローラ２４に接続されて、双方向の通信を行えるようになっている。
【００１８】
第１の内視鏡カメラ装置２６には視野移動カメラヘッド３１が接続され、第１の光源装置２７には第１のライトガイド３２が接続されており、これら視野移動カメラヘッド３１および第１のライトガイド３２は、第１の内視鏡３３に接続されている。上記気腹装置２８にはガスボンベ３４が接続され、気腹装置２８から患者３に伸びた気腹チューブ３５により、患者３の腹腔内に二酸化炭素ガスが供給されるようになっている。
【００１９】
第１の内視鏡カメラ装置２６は、第１の内視鏡３３で得られた画像を視野移動カメラヘッド３１内のズームレンズによって拡大し、その一部分を撮像素子によって捕らえ、撮像素子をその平面方向に移動させて撮像部位を変えることで第１の内視鏡表示パネル２１に表示させることで、第１の内視鏡３３の視野を変換している。さらに、ズームレンズを移動させることにより、観察像の変倍、すなわち内視鏡像の拡大／縮小観察を行うことができる。
【００２０】
一方、第２の内視鏡手術システム４は、第２の内視鏡表示パネル４１、第２の集中表示パネル４２、中継ユニット４３、第２の内視鏡カメラ装置４４、第２の光源装置４５、超音波診断装置４６、画像処理装置４７を備えており、第２の医療用カート４８の上に搭載されている。そして、それぞれの内視鏡周辺機器は、図示しないシリアルインターフェイスケーブルで上記中継ユニット４３に接続されて、双方向の通信を行えるようになっている。
【００２１】
第２の内視鏡カメラ装置４４には内視鏡カメラヘッド４９が接続され、第２の光源装置４５には第２のライトガイド５０が接続されており、これら内視鏡カメラヘッド４９および第２のライトガイド５０は、第２の内視鏡５１に接続されている。
そして、上記システムコントローラ２４と上記中継ユニット４３とは、システムインターフェイスケーブル５で接続されて双方向の通信を行えるようになっている。
【００２２】
このような内視鏡システム１において、上記操作パネル２３は、液晶ディスプレイ等の表示部と、この表示部の上に一体的に設けられたタッチセンサとにより構成され、各装置の状態表示や、操作スイッチなどを設定画面として表示する表示機能とともに、タッチセンサの所定領域を触れることで操作スイッチによる操作機能を有している。この遠隔的な操作により、看護婦は、第１の内視鏡手術システム２が備える各内視鏡周辺機器のみならず、システムコントローラ２４を介して内視鏡周辺機器の操作を直接行うのと同等の操作を行うことができるようになっている。
【００２３】
また、滅菌領域にある手術用ベッド６の脇には、術者が頻繁に使用する１つまたは複数の医療用電子機器である内視鏡周辺機器を、集中的に遠隔操作するための遠隔操作手段としての術者用リモコン７が備えてある。この術者用リモコン７は、頻繁に使用する内視鏡周辺機器の設定や操作及び、内視鏡画像の視野の変更を、滅菌領域に居ながらにして術者自身が自在に行うためのものである。
【００２４】
図２は、本発明にかかる医療用遠隔操作装置を適用した術者用リモコンの概要を説明するための図である。
図２において、術者用リモコン７は、術者が操作しやすいように、キャスター付きの支柱７０の上に設置されている。そして、この術者用リモコン７は、リモコン本体７１と操作プレート７２とを備えている。
【００２５】
上記操作プレート７２は、図１を用いて説明したような内視鏡システム１に対する操作コマンドとして、これに対応する操作コマンドパターンが表示された操作面を有している。また、上記操作プレート７２は、滅菌可能な部材で構成されている。上記操作プレート７２については、詳細を後述する。
【００２６】
上記リモコン本体７１は、コマンド検知装置７３とコマンド出力装置７６とを備えている。コマンド検知装置７３は、上記操作プレート７２が取り付けられた状態において、操作プレート７２の操作面上の操作コマンドパターンに対応する操作コマンドを検知し、コマンド出力装置７６は、コマンド検知装置７３によって検知された操作コマンドを、上記内視鏡システム１を構成する各内視鏡周辺機器に対して出力する。
【００２７】
図３は、本発明にかかる医療用遠隔操作装置を適用した術者用リモコンの第１の実施の形態を説明するための正面図であり、図４は、本発明にかかる医療用遠隔操作装置を適用した術者用リモコンの第１の実施の形態を説明するための側面図である。
図３および図４において、リモコン本体７１は、コマンド検知装置７３を備え、脱着可能な操作プレート７２を装着している。操作プレート７２の操作面上には、操作コマンドに対応する操作コマンドパターン７２１が印刷、刻印等されることにより表示されている。
【００２８】
このコマンド検知装置７３は、赤外線等の光線を発光する光線発光部７４と、光線発光部７４から発光された赤外線等の光線が何かしらの物体に反射した反射光を受光する光線受光部７５とを備えている。そして、光線受光部７５が光線発光部７４から発光した光の反射光を受光することにより、操作プレート７２の操作面上に翳された物体の３次元位置情報を検出し、上記３次元位置情報の近傍に表示された操作コマンドパターン７２１に対応する操作コマンドを検知する。なお、図３および図４において光線発光部７４と光線受光部７５が縦に配列されているが、すなわち光線発光部７４の下方に光線受光部７５が配列されているが、光線発光部７４と光線受光部７５とが横に並んで配列されていてもよいことは言うまでもない。
【００２９】
図５は、第１の実施の形態におけるコマンド検知の原理を説明するための図である。
光線発行部７４および光線受光部７５を備えたコマンド検知装置７３は、中央演算ユニット（ＣＰＵ）並びに関連の読取り専用メモリー（ＲＯＭ）およびランダムアクセスメモリー（ＲＡＭ）を備えた信号処理ユニットを含んでいる。ＲＯＭの中には、ＣＰＵによって実行されるソフトウェアルーチンが格納されており、３次元位置情報が受信されると内視鏡周辺機器への装置入力として直接適合したコマンドデータに変換されるようになっている。そして、このコマンド検知装置７３は、特定の波長の光を放出し、走査される対象、例えばユーザの指８０で反射した反射光のエネルギー飛行時間を算出する。
【００３０】
コマンド検知装置７３は、ユーザが操作プレート７２上に表示された操作コマンドパターン７２１を「タイプ打ち」する際、ユーザの指８０を見ている。具体的には、光線発光部７４から発光された赤外線等の光線が、操作プレート７２上の操作コマンドパターン７２１を翳しているユーザの指８０に反射し、光線受光部７５がその反射光を受光することにより、指８０についての３次元位置情報を検出する。
【００３１】
中央演算ユニットＣＰＵによって実行されるソフトウェアは、入力されてくる３次元情報を処理し、３次元空間内のユーザの手および指８０の位置を認識する。好ましくはこのソフトウェアルーチンは、Ｚ軸の不連続性を調べることにより、ユーザの指８０の輪郭を同定する。指８０がキー（操作コマンドパターン７２１）を「タイプ打ち」すると、このソフトウェアルーチンは、光学的に取得されたデータを調べ、指８０のＹ軸速度を計算する。このような垂直方向の指８０の運動が停止した際に、指８０の座標（Ｚ，Ｘ）から押されている仮想的な操作コマンドが同定される。
【００３２】
図６は、第１の実施の形態における操作プレートにおける操作コマンドの表示例を示す図である。
図６において、操作プレート７２の表面である操作面上には、内視鏡周辺装置を操作するための操作コマンドに対応する複数の操作コマンドパターン７２１が印刷あるいはエッチング等の彫刻処理で刻印されることにより表示されている。
【００３３】
図６に示した例においては、カメラ操作のための「画面スタンバイ」「画面強調」「ホワイトバランス」の３種類の操作コマンドに対応する操作コマンドパターン７２１が表示され、画像操作のための「レリーズ」「フリーズ」「録画」の３種類の操作コマンドに対応する操作コマンドパターン７２１が表示され、気腹器操作のための「圧力Ｄｏｗｎ」「圧力Ｕｐ」「送気Ｏｎ／Ｏｆｆ」の３種類の操作コマンドに対応する操作コマンドパターン７２１が表示されている。
【００３４】
また、この操作プレート７２は、ステンレススチールやアルミニウム等の金属、ＰＰＳ（ポリフェニレンサルファイド）、またはシリコン樹脂等の部材で出来ており、コネクタや配線等の電子機器を備えていないため、オートクレーブ等の滅菌処理が可能となっている。
【００３５】
図７は、本発明にかかる医療用遠隔操作装置を適用した術者用リモコンの第２の実施の形態における操作プレートの形状を説明するための図である。
上述してきたように操作プレート７２は、リモコン本体７１に脱着可能に取り付けられるため、異なる内容の操作コマンドパターン７２１を配したものを複数種類用意することが可能となる。すなわち、異なる操作プレート７２を交換してリモコン本体７１に取り付けることにより、ユーザ（術者）のニーズ、医療行為（手術の内容）の違いに対応した術者用リモコン７を構築することが可能となる。そのためには、それぞれの操作プレート７２がどのような内容の操作コマンドパターン７２１を配したものであるのかを識別する必要がある。
【００３６】
図７において、操作プレート７２は、操作プレート７２がどのような内容の操作コマンドパターン７２１を配したものであるのかを識別するためのプレート識別部としての操作プレート識別ドグ７２２を有している。図７に示した例では、操作プレート識別ドグ７２２は、３つの突起を形成しているが、これらの突起の数、位置、大きさ等により、操作プレート識別ドグ７２２を識別することが可能となる。
【００３７】
図８は、第２の実施の形態における操作プレートの検出の原理を説明するための図である。
図８において、操作プレート７２は、操作プレート７２がどのような内容の操作コマンドパターン７２１を配したものであるのかを識別するための操作プレート識別ドグ７２２として２つの突起を形成している。また、リモコン本体７１は、操作プレート識別ドグ７２２を検出するための切り欠き部７１１を有し、操作プレート７２の脱着を認識するとともに、操作プレート７２がどのような内容の操作コマンドパターン７２１を配したものであるのかを識別する。例えば、切り欠き部７１１に近接センサー、光電センサー、シーソースイッチ等を備えることにより、操作コマンドパターン７２１を識別する。
【００３８】
次に、図９乃至図１１を用いて、本発明にかかる医療用遠隔操作装置を適用した術者用リモコンの第３の実施の形態を説明する。
図９は、本発明にかかる医療用遠隔操作装置を適用した術者用リモコンの第３の実施の形態を説明するための正面図であり、図１０は、本発明にかかる医療用遠隔操作装置を適用した術者用リモコンの第３の実施の形態を説明するための側面図である。
【００３９】
図１乃至図５を用いて説明した第１の実施の形態では、操作プレート７２の操作面上に操作コマンドパターン７２１が印刷あるいは刻印等されることにより表示されていたが、第２の実施の形態では、操作面上に操作コマンドパターン９２１を投影する点が第１の実施の形態と大きく異なっている。
【００４０】
図９および図１０において、リモコン本体９１は、光線発光部９４と光線受光部９５を備えたコマンド検知装置、内視鏡周辺装置に対する操作コマンドに対応する操作コマンドパターン９２１を投影する操作コマンド投影装置と、上記操作プレート９２の操作面上に、上記操作コマンド投影装置から投影される操作コマンドパターン９２１を投影可能にするために、上記操作コマンド投影装置を支持する支持部と、コマンド出力装置９８とを備えている。コマンド検知装置は、上記操作プレート９２が取り付けられた状態において、操作プレート９２の操作面上に投影された操作コマンドパターン９２１に対応する操作コマンドを検知し、コマンド出力装置９８は、コマンド検知装置によって検知された操作コマンドを、第１の実施の形態と同様、上記内視鏡システム１を構成する各内視鏡周辺機器に対して出力する。
【００４１】
また、リモコン本体９１は、第１の実施の形態と同様、脱着可能な操作プレート９２を装着している。しかし、操作プレート９２の操作面上には、第１の実施の形態とは異なり、印刷あるいは刻印された操作コマンドパターン７２１を有さず、操作コマンド投影装置から操作コマンドに対応する操作コマンドパターン９２１が投影されることにより表示されている。
【００４２】
操作コマンド投影装置は、可視光線等の光線を出射する投影装置９６と、操作コマンドに対応する操作コマンドパターンの画像が形成されたコマンドスクリーン９７とを備え、投影装置９６から出射された光線がコマンドスクリーン９７を通過して操作プレート９２の操作面上に照射されることにより、コマンドスクリーン９７上のコマンドパターンが操作面上に表示される。
【００４３】
コマンド検知装置は、第１の実施の形態と同様、赤外線等の光線を発光する光線発光部９４と、光線発光部９４から発光された赤外線等の光線が何かしらの物体に反射した反射光を受光する光線受光部９５とを備えている。そして、光線受光部９５が光線発光部９４から発光した光の反射光を受光することにより、操作プレート９２の操作面上に翳された物体の３次元位置情報を検出し、上記３次元位置情報の近傍に表示された操作コマンドパターン９２１に対応する操作コマンドを検知する。なお、図９および図１０において光線発光部９４と光線受光部９５が縦に配列されているが、すなわち光線発光部９４の下方に光線受光部９５が配列されているが、光線発光部９４と光線受光部９５とが横に並んで配列されていてもよいことは言うまでもない。
【００４４】
図１１は、第３の実施の形態におけるコマンド検知の原理を説明するための図である。
光線発行部９４および光線受光部９５を備えたコマンド検知装置は、第１の実施の形態のコマンド検知装置７３と同様、中央演算ユニット（ＣＰＵ）並びに関連の読取り専用メモリー（ＲＯＭ）およびランダムアクセスメモリー（ＲＡＭ）を備えた信号処理ユニットを含んでいる。ＲＯＭの中には、ＣＰＵによって実行されるソフトウェアルーチンが格納されており、３次元位置情報が受信されると内視鏡周辺機器への装置入力として直接適合したコマンドデータに変換されるようになっている。そして、このコマンド検知装置も、特定の波長の光を放出し、走査される対象、例えばユーザの指８０で反射した反射光のエネルギー飛行時間を算出する。
【００４５】
第２の実施の形態におけるコマンド検知装置は、操作プレート９２上に投影された操作コマンドパターン９２１をユーザが「タイプ打ち」する際、ユーザの指８０を見ている。具体的には、光線発光部９４から発光された赤外線等の光線が、操作プレート９２上に投影された操作コマンドパターン９２１を翳しているユーザの指８０に反射し、光線受光部９５がその反射光を受光することにより、指８０についての３次元位置情報を検出する。
【００４６】
以上、第１の実施の形態乃至第３の実施の形態を用いて、１つまたは複数の医療用電子機器である内視鏡周辺機器を集中的に遠隔操作するための遠隔操作手段としての医療用遠隔操作装置（術者用リモコン）について説明してきた。
上述してきたように、これらの医療用遠隔操作装置は、操作コマンドに対応する操作コマンドパターンがリモコン本体に脱着可能であることが特徴の１つとなっている。すなわち、異なる内容の操作コマンドパターンを配した操作プレートを複数種類用意することが可能となる。
【００４７】
このことは、複数種類の異なる操作プレートに対応した医療用遠隔操作装置あるいは内視鏡システムを実現する必要があることを意味する。そのためには、医療用遠隔操作装置あるいは内視鏡システムにおいて、複数種類の異なる操作プレートに対応して内視鏡周辺装置を遠隔操作することが出来るようにソフトウェアをカスタマイズすればよい。カスタマイズの手法としては、周知のソフトウェアのカスタマイズを利用すればよい。
【００４８】
また、内視鏡システム１は、上述の医療用遠隔操作装置とは別に、術者の音声によってコマンドを認識し、内視鏡周辺装置へ出力する音声リモコンを備えることも可能である。
このような音声リモコンは、周知であるが、入力された音声の認識として以下のような特徴を備えることも可能である。
【００４９】
すなわち、認識結果が１つに絞り込まれなかった際に、同一の音声を入力するよう促し、絞り込まれなかった複数の認識結果候補についてだけ再度入力された同一の音声に基づいて音声認識を実行することである。
これに対して、従来の音声認識は、１回目の入力音声で認識結果が１つに絞り込まれなかった際に、複数の認識結果候補を出力表示等して、その中から所望の認識結果をユーザに選ばせるようにしたり、再度音声を入力させるが、同じ音声認識処理をやり直したりしていた。
【００５０】
これは、内視鏡システム１が、比較的雑音（各種医療機器の発する電子音等）の多い手術室に設置されるので認識率を高めることが出来ないこと、および、人間の生死に関わるものであるために誤認識が許されないことによる。
以上本発明の実施の形態を図面を用いて説明してきたが、本発明は、上述した実施の形態に限定されるものではなく、本発明の要旨を変えない範囲において、種々の変更、改変等が可能である。
【図面の簡単な説明】
【００５１】
【図１】本発明にかかる医療用遠隔操作装置が遠隔操作する内視鏡システムの全体構成を示す図である。
【図２】本発明にかかる医療用遠隔操作装置を適用した術者用リモコンの概要を説明するための図である。
【図３】本発明にかかる医療用遠隔操作装置を適用した術者用リモコンの第１の実施の形態を説明するための正面図である。
【図４】本発明にかかる医療用遠隔操作装置を適用した術者用リモコンの第１の実施の形態を説明するための側面図である。
【図５】第１の実施の形態におけるコマンド検知の原理を説明するための図である。
【図６】第１の実施の形態における操作プレートにおける操作コマンドの表示例を示す図である。
【図７】本発明にかかる医療用遠隔操作装置を適用した術者用リモコンの第２の実施の形態における操作プレートの形状を説明するための図である。
【図８】第２の実施の形態における操作プレートの検出の原理を説明するための図である。
【図９】本発明にかかる医療用遠隔操作装置を適用した術者用リモコンの第３の実施の形態を説明するための正面図である。
【図１０】本発明にかかる医療用遠隔操作装置を適用した術者用リモコンの第３の実施の形態を説明するための側面図である。
【図１１】第３の実施の形態におけるコマンド検知の原理を説明するための図である。
【符号の説明】
【００５２】
１        内視鏡システム
２        第１の内視鏡手術システム
３        患者
４        第２の内視鏡手術システム
５        システムインターフェイスケーブル
６        手術用ベッド
７        術者用リモコン
２１      第１の内視鏡表示パネル
２２      第１の集中表示パネル
２３      操作パネル
２４      システムコントローラ
２５      ＶＴＲ
２６      第１の内視鏡カメラ装置
２７      第１の光源装置
２８      気腹装置
２９      電気メス装置
３０      第１の医療用カート
３１      視野移動カメラヘッド
３２      第１のライトガイド
３３      第１の内視鏡
３４      ガスボンベ
３５      気腹チューブ
４１      第２の内視鏡表示パネル
４２      第２の集中表示パネル
４３      中継ユニット
４４      第２の内視鏡カメラ装置
４５      第２の光源装置
４６      超音波診断装置
４７      画像処理装置
４８      第２の医療用カート
４９      内視鏡カメラヘッド
５０      第２のライトガイド
５１      第２の内視鏡
７０      支柱
７１      リモコン本体
７２      操作プレート
７３      コマンド検知装置
７４      光線発光部
７５      光線受光部
７６      コマンド出力装置
８０      指
９１      リモコン本体
９２      操作プレート
９４      光線発光部
９５      光線受光部
９６      投影装置
９７      コマンドスクリーン
９８      コマンド出力装置
７１１    切り欠き部
７２１    操作コマンドパターン
７２２    操作プレート識別ドグ
９２１    操作コマンドパターン
【図１】
2005304596.tif 000003
【図２】
2005304596.tif 000004
【図３】
2005304596.tif 000005
【図４】
2005304596.tif 000006
【図５】
2005304596.tif 000007
【図６】
2005304596.tif 000008
【図７】
2005304596.tif 000009
【図８】
2005304596.tif 000010
【図９】
2005304596.tif 000011
【図１０】
2005304596.tif 000012
【図１１】
2005304596.tif 000013